【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
複数の無線基地局装置と、
複数の無線基地局装置と無線通信端末との通信で用いる無線資源を管理するサーバと、
を備え、
前記サーバは、
各無線基地局装置と無線通信端末との間でデータが伝送される無線回線の優先呼に割り当てられる無線資源を、前記優先呼の発生前に前記無線基地局装置毎にメモリに保持し、
前記複数の無線基地局装置のうちの第１の無線基地局装置に発生した優先呼に対して、前記メモリに保持され割当可能な前記第１の無線基地局装置用の無線資源が不足している場合、前記複数の無線基地局装置のうちの第２の無線基地局装置用に保持された無線資源を割り当て、
前記第１の無線基地局装置は、割り当てられた無線資源を用いて、前記優先呼のデータを通信する、無線通信システム。
【請求項２】
請求項１に記載の無線通信システムであって、
前記サーバは、前記第１の無線基地局装置と前記無線通信端末との間の上り回線を介して前記第１の無線基地局装置が取得した第１のデータが用いられるアプリケーションに基づいて、前記第１のデータを上位装置へ送信するか、前記第１のデータに基づく第２のデータを、前記第１のデータを送信した第１の無線通信端末と前記第１の無線通信端末以外の１つ以上の第２の無線通信端末とのうちの少なくとも１つへ送信するか、を判定する、無線通信システム。
【請求項３】
請求項１または２に記載の無線通信システムであって、
前記無線基地局装置は、前記無線通信端末から、前記優先呼に係るサービス品質の分類情報を受信し、
前記サーバは、前記サービス品質の分類情報に基づいて、前記複数の無線基地局装置から前記第２の無線基地局装置を選定する、無線通信システム。
【請求項４】
請求項３に記載の無線通信システムであって、
前記サーバは、前記サービス品質の分類情報に含まれるサービスの識別情報と一致する優先呼のトラフィックが所定数以上ある無線基地局装置を、前記第２の無線基地局装置として選定する、無線通信システム。
【請求項５】
請求項３に記載の無線通信システムであって、
前記サーバは、前記サービス品質の分類情報に含まれる帯域保証の有無の情報が一致する優先呼のトラフィックが所定数以上ある無線基地局装置を、前記第２の無線基地局装置として選定する、無線通信システム。
【請求項６】
請求項３に記載の無線通信システムであって、
前記サーバは、前記サービス品質の分類情報に含まれる許容遅延時間以下及び許容エラーレート以下の少なくとも１つを満たす優先呼のトラフィックが所定数以上ある無線基地局装置を、前記第２の無線基地局装置として選定する、無線通信システム。
【請求項７】
請求項１〜６のいずれか１項に記載の無線通信システムであって、
前記サーバは、前記複数の無線基地局装置のうちの第１の無線基地局装置に発生した優先呼に対して、割当可能な前記第１の無線基地局装置用の無線資源が不足する前に、前記第２の無線基地局装置用に保持された無線資源を割り当てる、無線通信システム。
【請求項８】
請求項１〜７のいずれか１項に記載の無線通信システムであって、
前記サーバは、各無線基地局装置が要する優先呼用の無線資源のリザーブ量の合計量以上の無線資源を、各無線基地局装置の優先呼用の無線資源として配分する、無線通信システム。
【請求項９】
複数の無線基地局装置と無線通信端末との通信で用いる無線資源を管理するサーバであって、
プロセッサ、メモリ、及び通信インタフェースを備え、
前記メモリは、各無線基地局装置と無線通信端末との間でデータが伝送される無線回線の優先呼に割り当てられる無線資源を、前記優先呼の発生前に前記無線基地局装置毎に保持し、
前記プロセッサは、前記複数の無線基地局装置のうちの第１の無線基地局装置に発生した優先呼に対して、前記メモリに保持され割当可能な前記第１の無線基地局装置用の無線資源が不足している場合、前記複数の無線基地局装置のうちの第２の無線基地局装置用に保持された無線資源を割り当て、
前記通信インタフェースは、前記優先呼に対する無線資源の割当情報を、前記第１の無線基地局装置へ通知する、サーバ。
【請求項１０】
複数の無線基地局装置と無線通信端末との通信で用いる無線資源を管理して通信する無線通信方法であって、
各無線基地局装置と無線通信端末との間でデータが伝送される無線回線の優先呼に割り当てられる無線資源を、前記優先呼の発生前に前記無線基地局装置毎にメモリに保持し、
前記複数の無線基地局装置のうちの第１の無線基地局装置に発生した優先呼に対して、前記メモリに保持され割当可能な前記第１の無線基地局装置用の無線資源が不足している場合、前記複数の無線基地局装置のうちの第２の無線基地局装置用に保持された無線資源を割り当て、
割り当てられた無線資源を用いて、前記優先呼のデータを通信する、無線通信方法。
【請求項１１】
プロセッサ、メモリ、及びアンテナを備える無線基地局装置であって、
前記メモリは、前記プロセッサの制御により、無線通信端末との間でデータが伝送される無線回線の優先呼に割り当てられる無線資源を、前記優先呼の発生前に保持し、
前記プロセッサは、発生した優先呼に対して前記無線資源を割り当て可能な場合、前記メモリに保持された無線資源を割り当て、
前記アンテナは、割り当てられた無線資源を用いて、前記優先呼のデータを通信し、
前記プロセッサはさらに、前記発生した優先呼に対して前記無線資源を割り当て不可能な場合、前記無線資源の不足をカウントする、無線基地局装置。
【請求項１２】
請求項１１に記載の無線基地局装置であって、
前記プロセッサはさらに、前記発生した優先呼に対して前記無線資源を割り当て不可能な場合、前記無線資源の不足をカウントした結果に基づいて、前記無線資源のリザーブ量を制御する、無線基地局装置。
【請求項１３】
請求項１１または１２に記載の無線基地局装置であって、
前記無線回線は、前記無線通信端末へのデータが伝送される下り回線と前記無線通信端末からのデータが伝送される上り回線とを含み、
前記メモリは、前記上り回線の優先呼に用いられる無線資源と前記下り回線の優先呼に用いられる無線資源とを分けて保持し、
前記プロセッサは、前記下り回線の優先呼に対して、前記メモリに前記下り回線の優先呼用に保持された無線資源を割り当てる、無線基地局装置。
【請求項１４】
請求項１３に記載の無線基地局装置であって、
前記プロセッサは、前記上り回線の優先呼に割り当てられる無線資源を指定し、
前記アンテナは、指定された前記無線資源の情報を送信する無線基地局装置。
【請求項１５】
請求項１３または１４に記載の無線基地局装置であって、更に、
前記アンテナは、前記上り回線を介して第１のデータを受信し、
前記プロセッサは、前記上り回線を介して受信された第１のデータが用いられるアプリケーションに基づいて、前記第１のデータを上位装置へ送信するか、前記第１のデータに基づく第２のデータを、前記第１のデータを送信した第１の無線通信端末と前記第１の無線通信端末以外の１つ以上の第２の無線通信端末とのうちの少なくとも１つへ送信するか、を判定する、無線基地局装置。
【請求項１６】
請求項１１〜１５のいずれか１項に記載の無線基地局装置であって、更に、
外部装置からデータを取得する外部装置インタフェースを備え、
前記プロセッサは、前記外部装置インタフェースにより入力されたデータを送信するための呼が優先呼である場合、前記優先呼に前記メモリに保持された無線資源を割り当てる、無線基地局装置。
【請求項１７】
請求項１１〜１６のいずれか１項に記載の無線基地局装置であって、
前記プロセッサは、前記優先呼の発生量の履歴情報、前記優先呼が発生する確率分布、及び前記優先呼に対する無線資源の不足が許容される確率に基づいて、前記メモリに保持される無線資源のリザーブ量を導出する、無線基地局装置。
【請求項１８】
請求項１７に記載の無線基地局装置であって、
前記プロセッサは、前記無線資源のリザーブ量を更新する、無線基地局装置。
【請求項１９】
請求項１７または１８に記載の無線基地局装置であって、
前記無線資源のリザーブ量は、無線基地局装置毎に異なる、無線基地局装置。
【請求項２０】
無線通信端末と無線基地局装置とを備える無線通信システムであって、
前記無線基地局装置は、
前記無線通信端末から前記無線基地局装置へのデータが伝送される上り回線の優先呼に割り当てられる無線資源の情報を、前記優先呼の発生前に送信し、
前記無線通信端末は、
前記無線資源の情報を受信して、前記無線基地局装置へのデータが伝送される上り回線の優先呼に割り当てられる無線資源を、前記優先呼の発生前にメモリに保持し、
発生した優先呼に対して前記無線資源を割り当て可能な場合、前記メモリに保持された無線資源を割り当て、
前記割り当てられた無線資源を用いて、前記優先呼のデータを送信し、
前記発生した優先呼に対して前記無線資源を割り当て不可能な場合、前記無線資源の不足をカウントする、無線通信システム。
【請求項２１】
メモリを備える無線基地局装置における無線通信方法であって、
前記メモリは、無線通信端末との間でデータが伝送される無線回線の優先呼に割り当てられる無線資源を、前記優先呼の発生前に保持し、
発生した優先呼に対して前記無線資源を割り当て可能な場合、前記メモリに保持された無線資源を割り当て、
前記割り当てられた無線資源を用いて、前記優先呼のデータを通信し、
前記発生した優先呼に対して前記無線資源を割り当て不可能な場合、前記無線資源の不足をカウントする、無線通信方法。 
【手続補正２】
【補正対象書類名】明細書
【補正対象項目名】０００７
【補正方法】変更
【補正の内容】
【０００７】
本開示の無線基地局装置は、プロセッサ、メモリ、及びアンテナを備える。メモリは、プロセッサの制御により、無線通信端末との間でデータが伝送される無線回線の優先呼に割り当てられる無線資源を、優先呼の発生前に保持する。プロセッサは、発生した優先呼に対して無線資源を割り当て可能な場合、前記メモリに保持された無線資源を割り当て、アンテナは、割り当てられた無線資源を用いて、優先呼のデータを通信し、プロセッサはさらに、発生した優先呼に対して無線資源を割り当て不可能な場合、無線資源の不足をカウントする。